【手続補正書】
【提出日】平成18年8月22日(2006.8.22)
【手続補正１】
【補正対象書類名】特許請求の範囲
【補正対象項目名】全文
【補正方法】変更
【補正の内容】
【特許請求の範囲】
【請求項１】
熱可塑性エラストマーを含み、完全水中吸水率４０×［（１−Ａ）／Ａ］以下［式中、Ａ＝発泡体密度（グラム／立方センチメートル単位）である。］を有する発泡体物品であって、フッ素を含む溶融強度増強添加剤を実質的に含まない発泡体物品。
【請求項２】
前記完全水中吸水率は約２５×［（１−Ａ）／Ａ］以下である、請求項１に記載の発泡体物品。
【請求項３】
前記完全水中吸水率は約１０×［（１−Ａ）／Ａ］以下である、請求項１に記載の発泡体物品。
【請求項４】
前記発泡体密度は約０．３０グラム／立方センチメートル〜約０．７０グラム／立方センチメートルである、請求項１に記載の発泡体物品。
【請求項５】
前記完全水中吸水率は約３５％未満である、請求項４に記載の発泡体物品。
【請求項６】
前記発泡体物品は微孔質材料である、請求項１に記載の発泡体物品。
【請求項７】
前記発泡体物品は平均気泡サイズ約１００ミクロン未満を有する、請求項１に記載の発泡体物品。
【請求項８】
前記熱可塑性エラストマーは熱可塑性加硫物である、請求項１に記載の発泡体物品。
【請求項９】
前記発泡体物品は残留化学的発泡剤または化学的発泡剤の副産物を本質的に含まない、請求項１に記載の発泡体物品。
【請求項１０】
前記発泡体物品はガスケット、シールまたはウエザーストリップである、請求項１に記載の発泡体物品。
【請求項１１】
前記発泡体物品は、吸水率を制限する前記発泡体物品の表面に形成された補助層を含まない、請求項１に記載の発泡体物品。
【請求項１２】
前記発泡体物品は、吸水率を制限する前記発泡体物品の表面に形成された共押出し済みコーティング層を含まない、請求項１１に記載の発泡体物品。
【請求項１３】
前記発泡体物品は、吸水率を制限する前記発泡体物品の表面に形成された疎水性コーティング層を含まない、請求項１１に記載の発泡体物品。
【請求項１４】
前記発泡体物品はアクリル変性ＰＴＦＥを実質的に含まない、請求項１に記載の物品。
【請求項１５】
前記発泡体物品はＵ−試験吸水率０．５％以下を有する、請求項１に記載の物品。
【請求項１６】
熱可塑性エラストマーを含み、完全水中吸水率４０×［（１−Ａ）／Ａ］以下［式中、Ａ＝発泡体密度（グラム／立方センチメートル単位）である。］を有する発泡体物品であって、前記熱可塑性エラストマーは、第１のポリマータイプを含む熱可塑性相を含み、前記発泡体物品は、前記第１のポリマータイプと異なるポリマータイプを有する溶融強度増強添加剤を実質的に含まない、発泡体物品。
【請求項１７】
前記完全水中吸水率は約２５×［（１−Ａ）／Ａ］以下である、請求項１６に記載の発泡体物品。
【請求項１８】
前記完全水中吸水率は約１０×［（１−Ａ）／Ａ］以下である、請求項１６に記載の発泡体物品。
【請求項１９】
前記発泡体密度は約０．３０グラム／立方センチメートル〜約０．７０グラム／立方センチメートルである、請求項１６に記載の発泡体物品。
【請求項２０】
前記完全水中吸水率は約３５％未満である、請求項１９に記載の発泡体物品。
【請求項２１】
前記発泡体物品は微孔質材料である、請求項１６に記載の発泡体物品。
【請求項２２】
前記発泡体物品は平均気泡サイズ約１００ミクロン未満を有する、請求項１６に記載の発泡体物品。
【請求項２３】
前記熱可塑性エラストマーは熱可塑性加硫物である、請求項１６に記載の発泡体物品。
【請求項２４】
前記発泡体物品は、吸水率を制限する前記発泡体物品の表面に形成された補助層を含まない、請求項１６に記載の発泡体物品。
【請求項２５】
前記発泡体物品は、吸水率を制限する前記発泡体物品の表面に形成された共押出し済みコーティング層を含まない、請求項２４に記載の発泡体物品。
【請求項２６】
前記発泡体物品は、吸水率を制限する前記発泡体物品の表面に形成された疎水性コーティング層を含まない、請求項２４に記載の発泡体物品。
【請求項２７】
前記発泡体物品はＵ−試験吸水率０．５％以下を有する、請求項１６に記載の発泡体物品。
【請求項２８】
熱可塑性エラストマーを含み、完全水中吸水率４０×［（１−Ａ）／Ａ］以下［式中、Ａ＝発泡体密度（グラム／立方センチメートル単位）である。］を有する発泡体物品であって、フッ素を含む溶融強度増強添加剤を実質的に含まず、吸水率を制限する前記発泡体物品の表面に形成された補助層を含まない発泡体物品。
【請求項２９】
前記発泡体物品は、吸水率を制限する前記発泡体物品の表面に形成された共押出し済みコーティング層を含まない、請求項２８に記載の発泡体物品。
【請求項３０】
前記発泡体物品は、吸水率を制限する前記発泡体物品の表面に形成された疎水性コーティング層を含まない、請求項２８に記載の発泡体物品。
【請求項３１】
前記完全水中吸水率は約２５×［（１−Ａ）／Ａ］以下である、請求項２８に記載の発泡体物品。
【請求項３２】
前記発泡体密度は約０．３０グラム／立方センチメートル〜約０．７０グラム／立方センチメートルである、請求項２８に記載の発泡体物品。
【請求項３３】
前記完全水中吸水率は約３５％未満である、請求項３２に記載の発泡体物品。
【請求項３４】
熱可塑性エラストマーを含み、完全水中吸水率４０×［（１−Ａ）／Ａ］以下［式中、Ａ＝発泡体密度（グラム／立方センチメートル単位）である。］を有する発泡体物品であって、前記熱可塑性エラストマーは、第１のポリマータイプを含む熱可塑性相を含み、前記発泡体物品は、前記第１のポリマータイプと異なるポリマータイプを含む溶融強度増強添加剤を実質的に含まず、吸水率を制限する前記発泡体物品の表面に形成された補助層を含まない、発泡体物品。
【請求項３５】
前記発泡体物品は、吸水率を制限する前記発泡体物品の表面に形成された共押出し済みコーティング層を含まない、請求項３４に記載の発泡体物品。
【請求項３６】
前記発泡体物品は、吸水率を制限する前記発泡体物品の表面に形成された疎水性コーティング層を含まない、請求項３４に記載の発泡体物品。
【請求項３７】
前記完全水中吸水率は約２５×［（１−Ａ）／Ａ］以下である、請求項３４に記載の発泡体物品。
【請求項３８】
前記発泡体密度は約０．３０グラム／立方センチメートル〜約０．７０グラム／立方センチメートルである、請求項３４に記載の発泡体物品。
【請求項３９】
前記完全水中吸水率は約３５％未満である、請求項３８に記載の発泡体物品。
【請求項４０】
前記発泡体物品はＵ−試験吸水率０．５％以下を有する、請求項３４に記載の発泡体物品。
【請求項４１】
熱可塑性エラストマーを含むポリマー材料を押出機中で加工することと；
窒素を含む発泡剤を前記押出機中の前記ポリマー材料中に導入することと；
を含む方法。
【請求項４２】
前記ポリマー材料は熱可塑性加硫物である、請求項４１に記載の方法。
【請求項４３】
前記発泡剤は本質的に窒素からなる、請求項４１に記載の方法。
【請求項４４】
前記発泡剤は窒素及び少なくとも１種の第２のガスを含む、請求項４１に記載の方法。
【請求項４５】
前記第２のガスは二酸化炭素である、請求項４１に記載の方法。
【請求項４６】
前記ポリマー材料は残留化学的発泡剤または化学的発泡剤の副産物を本質的に含まない、請求項４１に記載の方法。
【請求項４７】
発泡体物品を押出すことをさらに含む、請求項４１に記載の方法。
【請求項４８】
前記発泡体物品は微孔質材料である、請求項４７に記載の方法。
【請求項４９】
前記発泡体物品は平均気泡サイズ約１００ミクロン未満を有する、請求項４７に記載の方法。
【請求項５０】
前記発泡体物品は、完全水中吸水率４０×［（１−Ａ）／Ａ］以下［式中、Ａ＝発泡体密度（グラム／立方センチメートル単位）である。］を有する、請求項４７に記載の方法。
【請求項５１】
前記発泡体物品は、完全水中吸水率５×［（１−Ａ）／Ａ］以下を有する、請求項４７に記載の方法。
【請求項５２】
周囲条件下でガスである発泡剤を使用して、熱可塑性エラストマー発泡体材料をポリマー押出し装置から押出すことと、完全水中吸水率４０×［（１−Ａ）／Ａ］以下［式中、Ａ＝発泡体密度（グラム／立方センチメートル単位）である。］を有する材料を回収することと、を含む方法。
【請求項５３】
前記完全水中吸水率は約２５×［（１−Ａ）／Ａ］以下である、請求項５２に記載の方法。
【請求項５４】
前記完全水中吸水率は約１０×［（１−Ａ）／Ａ］以下である、請求項５２に記載の方法。
【請求項５５】
熱可塑性エラストマーを含み、Ｕ−試験吸水率０．５％以下を有する発泡体物品であって、フッ素を含む溶融強度増強添加剤を実質的に含まず、吸水率を制限する前記発泡体物品の表面に形成された補助層を含まない発泡体物品。
【請求項５６】
前記Ｕ−試験吸水率は０．３％以下である、請求項５５に記載の発泡体物品。
【請求項５７】
前記Ｕ−試験吸水率は０．１％以下である、請求項５５に記載の発泡体物品。
【請求項５８】
前記Ｕ−試験吸水率は０．０５％以下である、請求項５５に記載の発泡体物品。
【請求項５９】
前記発泡体物品は平均気泡サイズ約１００ミクロン未満を有する、請求項５５に記載の発泡体物品。
【請求項６０】
前記熱可塑性エラストマーは熱可塑性加硫物である、請求項５５に記載の発泡体物品。
【請求項６１】
前記熱可塑性加硫物はポリプロピレン及び完全架橋済みＥＰＤＭを含む、請求項６０に記載の発泡体物品。
【請求項６２】
前記発泡体物品は残留化学的発泡剤または化学的発泡剤の副産物を本質的に含まない、請求項５５に記載の発泡体物品。
【請求項６３】
前記発泡体物品はガスケット、シールまたはウエザーストリップである、請求項５５に記載の発泡体物品。
【請求項６４】
前記発泡体物品は、吸水率を制限する前記発泡体物品の表面に形成された共押出し済みコーティング層を含まない、請求項５５に記載の発泡体物品。
【請求項６５】
前記発泡体物品は、吸水率を制限する前記発泡体物品の表面に形成された疎水性コーティング層を含まない、請求項５５に記載の発泡体物品。
【請求項６６】
前記発泡体物品はアクリル変性ＰＴＦＥを実質的に含まない、請求項５５に記載の発泡体物品。
【請求項６７】
前記熱可塑性エラストマーは６０ショアーＡ未満のデュロメータを有する、請求項５５に記載の発泡体物品。
【請求項６８】
前記熱可塑性エラストマーは４５ショアーＡ未満のデュロメータを有する、請求項５５に記載の発泡体物品。
【請求項６９】
前記発泡体物品は、完全水中吸水率４０×［（１−Ａ）／Ａ］以下［式中、Ａ＝発泡体密度（グラム／立方センチメートル単位）である。］を有する、請求項５５に記載の発泡体物品。
【請求項７０】
Ｕ−試験吸水率０．５％以下を有する熱可塑性エラストマーを含む発泡体物品であって、前記熱可塑性エラストマーは、第１のポリマータイプを含む熱可塑性相を含み、前記発泡体物品は、前記第１のポリマータイプと異なるポリマータイプを含む溶融強度増強添加剤を実質的に含まず、吸水率を制限する前記発泡体物品の表面に形成された補助層を含まない、発泡体物品。
【請求項７１】
６０ショアーＡ未満のデュロメータを有する熱可塑性エラストマーを押出機中で加工することと；
物理的発泡剤をポリマー材料中に導入して、前記物理的発泡剤と前記ポリマー材料との混合物を前記押出機中で形成することと；
前記物理的発泡剤とポリマー材料との混合物を押出して押出物を形成することと；
該押出物からガスケット、シールまたはウエザーストリップを形成することと；
を含む方法。
【請求項７２】
熱可塑性エラストマー発泡体材料をポリマー押出し装置から押出すことと；
Ｕ−試験吸水率０．５％以下を有する前記熱可塑性エラストマーを含む発泡体物品を回収することと；を含み、前記発泡体物品は、フッ素を含む溶融強度増強添加剤を実質的に含まず、吸水率を制限する前記発泡体物品の表面に形成された補助層を含まない、方法。
【請求項７３】
熱可塑性エラストマー発泡体材料をポリマー押出し装置から押出すことと；
Ｕ−試験吸水率０．５％以下を有する前記熱可塑性エラストマーを含む発泡体物品を回収することと；を含み、前記熱可塑性エラストマーは、第１のポリマータイプを含む熱可塑性相を含み、前記発泡体物品は、前記第１のポリマータイプと異なるポリマータイプを含む溶融強度増強添加剤を実質的に含まず、吸水率を制限する前記発泡体物品の表面に形成された補助層を含まない、方法。